(57)【要約】      （修正有）【課題】カメラ付携帯電話において、無人の状態で定期的な時間間隔又は複数以上の予め決められた時刻に被写体を撮影又は、随時に遠隔操作で被写体を撮影するなどして自動的に所定のメールアドレス宛に画像を添付して送信できるようにする。【解決手段】第１の形態は、カメラ部１ａのシャッターと連動したタイマー機能を有し、無人の状態で定期的な時間間隔又は複数以上の予め決められた時刻に自動的に被写体３を撮影し、インターネット等の通信手段により、外出先の携帯電話又はパソコン等６の所定Ｅメールアドレス宛に撮影画像を添付して自動的に送信する。第２の形態は、所定のＥメールアドレスを持った外出先の携帯電話又はパソコン等６からＥメールを受信したとき、シャッターが自動的に作動して被写体３を撮影し、当該所定のＥメールアドレス持った外出先の携帯電話又はパソコン等６宛に被写体３の画像を添付して自動的にＥメールを返信する。【選択図】図１
2009194885.tif 000002
【特許請求の範囲】
【請求項１】
被写体に向けて設置したカメラ付携帯電話において、当該カメラ付携帯電話は無人の状態で定期的な時間間隔又は複数以上の予め決められた時刻において、タイマースイッチによりシャッターが自動的に作動するカメラを内蔵しており、被写体撮影後予め入力している１箇所以上の所定のＥメールアドレス宛に、被写体の写真を添付して自動的にＥメール送信することを特徴とするカメラ付写真自動送信携帯電話。
【請求項２】
被写体に向けて設置したカメラ付携帯電話において、当該カメラ付携帯電話が所定のＥメール送信者アドレスからＥメールを受信したとき、当該カメラ付携帯電話のシャッターが自動的に作動して被写体を撮影し、Ｅメールを受信した所定のＥメール送信者アドレス宛に、被写体の写真を添付して自動的にＥメール返信することを特徴とするカメラ付写真自動送信携帯電話。
【発明の詳細な説明】
【技術分野】
【０００１】  本発明品は、写真撮影機能とＥメールの送受信機能を有したカメラ付携帯電話に関するものである。
【背景技術】
【０００２】  従来の技術は、カメラ付携帯電話のシャッターを押して被写体を撮影して保存し、マニュアル操作で当該画像を添付して所定のＥメールアドレス宛に送信する。
【発明の開示】
【発明が解決しようとする課題】
【０００３】
【０００４】  従来の技術は、カメラ付携帯電話所持者が当該携帯電話のシャッターを押して被写体を撮影し、マニュアル操作でＥメールアドレスを入力するか若しくは呼び出して画像データの添付を指示することでインターネット等の通信手段を介して送信するので、一連の操作を人為的に行わなければならない。【０００５】  解決しようとする問題点は、従来の技術によるカメラ付携帯電話は、無人の状態で定期的な時間間隔又は複数以上の予め決められた時刻に被写体を撮影することおよび随時に遠隔操作で被写体を撮影するなどして自動的に所定のＥメールアドレス宛に画像を添付して送信する機能はない。
【課題を解決するための手段】
【０００６】  本発明の第１の形態は、カメラ付携帯電話にカメラのシャッターと連動したタイマー機能を有し、無人の状態で定期的な時間間隔又は複数以上の予め決められた時刻に自動的に被写体を撮影し、撮影した画像を所定のＥメールアドレス宛に添付して自動的に送信する機能を有することを特徴とするカメラ付写真自動送信携帯電話である。【０００７】  本発明の第２の形態は、被写体に向けて設置したカメラ付携帯電話において、当該携帯電話が所定のＥメールアドレスの送信者からのＥメールを受信したとき、当該携帯電話のシャッターが自動的に作動して被写体を撮影し、当該所定のＥメールアドレスからの送信者宛に被写体の画像を添付して自動的にＥメールを返信することを特徴とするカメラ付写真自動送信携帯電話である。
【発明の効果】
【０００８】  本発明の第１の形態によれば、本発明品のカメラ被写体の様子を予め決められた一定の時間間隔毎に、外出先の携帯電話等に送信されてきたＥメール添付画像により被写体の様子を確認することができる。又は、予め設定した複数以上の時刻に本発明品が被写体の様子を外出先の携帯電話等宛に添付画像としてＥメール送信するので、被写体の様子を確認することができる。【０００９】  本発明の第２の形態によれば、たとえは外出先で所持している別の携帯電話から本発明品宛にＥメールを送信すれは、被写体に向けて設置した本発明品のシャッターが自動的に作動して被写体を撮影し、その画像を返信用のＥメールに添付して外出先の別の携帯電話宛にＥメールが返信されるので、外出先で随時に被写体の様子を確認できる。【００１０】  本発明品を複数台設置することにより、広範囲の被写エリアの画像を確認することが可能になる。
【発明を実施するための最良の形態】
【００１１】  現代社会を象徴する核家族社会において、一家の働き手は外出しなけれはならず、ペット、子供、老人は家の中に置き去りにされている状態が散見される。【００１２】  このような社会状況下において、家の中の様子を確認したいという要望があるものと考えられるので、本発明によるカメラ付写真自動送信携帯電話は、このような要望に答えるものである。
【実施例１】
【００１３】  図１は、本発明品１の１実施例の姿図である。【００１４】  本発明品１は、部屋の壁５などにアーム１ｄで取り付けられている。【００１５】  アーム１ｄには、本発明品１の充電器１ｂを取付け、充電器１ｂの充電アダプター１ｃを１００Ｖ電源コンセント２に挿入する。【００１６】  充電器１ｂに装着した本発明品１は、常時充電されている状況で、本発明品１を長時間連続して作動させることができる。【００１７】  本発明品１には、カメラ部１ａを装備し、被写体エリア４内の被写体３の写真を撮ることができる。【００１８】  本発明品１の第１の形態は、定期的な時間間隔又は複数以上の予め決められた時刻において、本発明品１のタイマースイッチによりカメラ部１ａのシャッターが自動的に作動するカメラを内蔵しており、被写体を写真撮影ができる。
そして、本発明品１は、予め入力した１箇所以上の所定のＥメールアドレス宛に、当該被写体の画像を添付してＥメール送信できる。【００１９】  図２は、本発明の第１の形態によるフロー図の概要を示した。【００２０】  本発明品１の第２の形態は、図１に示したように被写体に向けて設置した本発明品１が所定のＥメールアドレスを持った外出先の携帯電話又はパソコン等６からメールを受信したとき、本発明品１のカメラ部１ａのシャッターが自動的に作動して被写体３を撮影する。【００２１】  撮影した被写体３の画像は、Ｅメールを送信してきた外出先の携帯電話又はパソコン等６宛に画像を添付して自動的に返信する。【００２２】  図３は、本発明品１の第２の形態によるフロー図の概要を示した。
【図面の簡単な説明】
【００２３】
【図１】本発明品１の１実施例による説明図である。
【図２】本発明品１の第１の形態によるフロー図の概要を示した。
【図３】本発明品１の第２の形態によるフロー図の概要を示した。
【符号の説明】
【００２４】  １    本発明品（カメラ付写真自動送信携帯電話）
１ａ  カメラ部
１ｂ  充電ホルダ
１ｃ  ＡＣアダプタ
１ｄ  充電ホルダ壁面取付け金具
２    ＡＣ１００コンセント
３    被写体
４    被写エリア
５    壁面
６    外出先の携帯電話又はパソコン等
【図１】
2009194885.tif 000003
【図２】
2009194885.tif 000004
【図３】
2009194885.tif 000005